(57)【要約】  【課題】椅子の背部を、簡単かつ堅牢でしかもランバーサポートを容易に取付けできる形態にする。  【手段】背もたれ１３を構成する背インナー板２０は、上部を構成する張り出し部２０ａとその下方に連続する変形許容部２０ｂとから成っている。バックフレーム１４は縦長の縦長部材１４ａと水平状の上部材１４ｂとで背面視Ｔ字状に形成されており、縦長部材１４の上向き突出端部１４ａ′が張り出し部２０ａに形成されている係合穴（筒部）２９に下方から嵌まっている。バックフレーム１４の上部材１４ｂに張り出し部２０ａの下面にビス３２及びナット３３によって締結されている。背インナー板２０の下端部はバックフレーム１４の下部にフックによって係止されている。【選択図】    図１２
2005080676.tif 000002
【特許請求の範囲】
【請求項１】
背部を、人の背や腰が当たる背もたれと、その後方に配置されたバックフレームとを備えた構成として、バックフレームで背もたれを支持してなる椅子であって、
背もたれの背面に、バックフレームよりも後方に突出する剛体構造の張り出し部を設け、この張り出し部とバックフレームとに、当該張り出し部とバックフレームとを上下方向に相対動させることによって互いに嵌まり合う係合手段を設けている、
椅子。
【請求項２】
前記バックフレームは金属製であって、上下方向に延びる１本又は複数本の縦長部材とその上端部に固着された左右長手の上部材とを備えており、縦長部材の上端部を上部材よりも上方に突出させている一方、
前記背もたれは、合成樹脂製の背インナー板の前面にクッション材を張った構造になっており、この張り出し部に、前記縦長部材の上端部が下方から嵌まる下向き開口の係合穴を形成しており、この係合穴と縦長部材の上端部とを前記係合手段と成しており、
更に、バックフレームの上部材を、当該上部材に下方から挿入したねじによって背インナー板の張り出し部に締結しており、
背インナー板の下端部はバックフレームに係止している、
請求項１に記載した椅子。
【請求項３】
前記背インナー板のうち張り出し部は基本的に撓み変形しない剛体構造になっており、背インナー板のうち張り出し部よりも下方の部位はある程度の外力で撓み変形し得る変形許容部となっており、変形許容部の下端部をバックフレームに対して上下動可能な状態で前向き離反不能に係止しており、
更に、前記バックフレームの縦長部材と背インナー板の変形許容部との間に空間を空けており、この空間に、背インナー板の変形許容部を前向き突状に変形させ得るランバーサポートを、人が後方から手で操作し得るように裏側に露出させた状態で高さ調節可能に配置している、
請求項２に記載した椅子。
【発明の詳細な説明】
【技術分野】
【０００１】
本願発明は、背部を備えた椅子に関するものである。
【背景技術】
【０００２】
事務用等の回転椅子の場合、背もたれは、合成樹脂製の背インナー板（背シェル、或いは背もたれ板といっても良い）の前面にクッション材を張った構造のものが多い。そして、回転椅子では、背もたれは、その後方に配置したバックフレーム（背支柱、背支稈と呼ばれることもある）に取付けられていることが多い。
【０００３】
具体的な取付け方法としては、背インナー板の背面にバックフレームをねじで固定して、バックフレームを背インナー板とほぼ同じ大きさの裏カバーで覆ったり、或いは、背インナー板とほぼ同じ大きさの裏カバーの前面にバックフレームをねじで固定して、裏カバーに背インナー板をスナップ係合によって取付けたりしている。
【０００４】
他方、着座した人の腰椎や脊椎を的確に支持するため、背もたれにランバーサポートを高さ調節可能に設けることも行われており、その例として特許文献１では、背もたれを、合成樹脂製の背もたれ板の前面にクッション材が張られた構造とした場合において、背もたれ板のうち着座者の腰に相当する部分にスリットを形成することによって部分的に突出し得る変形許容部を形成し、この変形許容部の裏側にランバーサポート（公報では突出部材と称している）を配置し、このランバーサポートを背支稈で高さ調節可能に支持することが記載されている。
【０００５】
また、背もたれの他の取付け構造として、特許文献２には、背もたれを、その上下中高さ位置を中心にして側面視で屈曲し得るように構成し、この背もたれのうち屈曲中心部よりも下方の部位をバックフレームで後傾可能に支持し、背もたれの下端部をバックフレームに上下動可能な状態に係止することが記載されている。
【特許文献１】特許第３０３８１７４号公報
【特許文献２】特開２００３−１３５２０４号公報
【発明の開示】
【発明が解決しようとする課題】
【０００６】
背インナー板と裏カバーとをほぼ同じ大きさに形成したものでは、背もたれが全体として厚ぼったくなる傾向があり、また、バックフレームに背インナー板又は裏カバーを強固に取付けるためにはビス（ボルト）の本数を多くせねばならず、このため組み立て作業に手間がかかるという問題があった。
【０００７】
他方、ランバーサポートを備えた椅子においては、ランバーサポートの高さ調節が簡単であることが求められるが、特許文献１の構成では、ランバーサポートを上下調節するに際して裏カバーを取り外さなければならないため、椅子を購入した後においてユーザーがランバーサポートの高さを調節することは困難で、ランバーサポートを設けた意義が減殺されるという問題があった。
【０００８】
更に特許文献３は、背もたれを側面視で屈曲させることによってロッキング状態でのフィット性を高めんとするものであるが、バックフレームに対する背もたれの取付け構造が複雑で、組み立て作業の手間を軽減できるには至っていないといえる。
【０００９】
本願発明は、このような現状を改善することを課題とするものである。
【課題を解決するための手段】
【００１０】
請求項１の発明では、背部を、人の背や腰が当たる背もたれと、その後方に配置されたバックフレームとを備えた構成として、バックフレームで背もたれを支持してなる椅子において、背もたれの背面に、バックフレームよりも後方に突出する剛体構造の張り出し部を設け、この張り出し部とバックフレームとに、バックフレームとを上下方向に相対動させることによって互いに嵌まり合う係合手段を設けるという構成にした。
【００１１】
請求項２の発明では、請求項１において、前記バックフレームは金属製であって、上下方向に延びる１本又は複数本の縦長部材とその上端部に固着された左右長手の上部材とを備えており、縦長部材の上端部を上部材よりも上方に突出させている。
【００１２】
一方、前記背もたれは、合成樹脂製の背インナー板の前面にクッション材を張った構造になっており、この張り出し部に、前記縦長部材の上端部が下方から嵌まる下向き開口の係合穴を形成しており、この係合穴と縦長部材の上端部とを前記係合手段と成しており、更に、バックフレームの上部材を、当該上部材に下方から挿入したねじによって背インナー板の張り出し部に締結しており、背インナー板の下端部はバックフレームに係止している。
【００１３】
請求項３の発明は、請求項２において、前記背インナー板のうち張り出し部は基本的に撓み変形しない剛体構造になっており、背インナー板のうち張り出し部よりも下方の部位はある程度の外力で撓み変形し得る変形許容部となっており、変形許容部の下端部をバックフレームに対して上下動可能な状態で前向き離反不能に係止している。
【００１４】
更に、前記バックフレームの縦長部材と背インナー板の変形許容部との間に空間を空けており、この空間に、背インナー板の変形許容部を前向き突状に変形させ得るランバーサポートを、人が後方から手で操作し得るように裏側に露出させた状態で高さ調節可能に配置している。
【発明の効果】
【００１５】
本願発明によると、バックフレームと背もたれとがずれ不能に位置決めされていることと、背もたれに下向きの荷重がかかっても張り出し部を介してバックフレームの広い面積で支持できることとが相俟って、ビス止めするにおいては少ない本数のビスで強固に締結することができる。
【００１６】
このため椅子の組み立て作業の能率をアップできる。また、ねじ止めでないスナップ係合のような係合手段によっても、背もたれをバックフレームに強固に取付けることが可能になる。
【００１７】
更に、張り出し部は背もたれに部分的に形成すれば足りるため、背部が全体的に厚ぼったくなることを回避でき、その結果、すっきりとしたデザインとすることが可能になる。
【００１８】
ところで、通常の椅子の高さは一般に成人の腰の高さ程度であり、このため、背もたれに張り出し部を設けるとその下面は通常の状態で人は視認できない。このため、請求項２のように構成すると、締結用のビスは張り出し部の陰になって見えず、その結果、ビス止めによって強固に締結しても美観の悪化を防止できる。
【００１９】
また、請求項１の場合、ビスを水平状の姿勢にしてバックフレームに背もたれを締結することも可能であるが、この場合は、締結強度を高めるためには長いビスを使用すると背もたれの全体の厚さが厚くなる虞がある。これに対して請求項２のように構成すると、ビスの長さが長くてもビスは張り出し部の肉厚部に隠れる状態になるため、背もたれの厚さを厚くすることなく取付け強度を向上することができる。
【００２０】
更に、背もたれの下端部はバックフレームに係止されているため、張り出し部のみをバックフレームに締結した簡単な取付け構造であっても、例えば背もたれの下端を摘んで手前に引いても背もたれが捲れて変形するようなことはなく、むひろ、背もたれの変形を促進してフィット性を高めることができる。
【００２１】
請求項３のように構成すると、ランバーサポートが背もたれの裏側に露出していることにより、人はランバーサポートの高さ位置を簡単に調節することができる。このため、腰椎や脊椎を人の体格や好みに応じて支持することをごく簡単に行うことができる。また、背もたれの下端部はバックフレームに係止しているため、背もたれは側面視で前向き突の形状に変形させることができ、このためランバーサポート機能が損なわれるようなことは皆無である。
【００２２】
更に、ランバーサポートを人が直接に上下動させるもので、ハンドル類（或いはレバー類）や連動機構は必要ないため、ランバーサポート機能を設けたことに起因して椅子の製造コストがアップすることを回避できる。
【発明を実施するための最良の形態】
【００２３】
次に、本願発明の実施形態を図面に基づいて説明する。
【００２４】
(1).第１実施形態（図１〜図16）
図１〜図１６では第１実施形態を示している。まず、図１〜図４に基づいて概要を説明する。図１は椅子を前方から見た全体斜視図、図２は椅子を後方から見た全体斜視図、図３は部分的な背面図、図４は背部を構成するバックフレームとバックカバーとの分離背面図である。
【００２５】
(a).概要
本発明はいわゆる回転椅子に適用しており、図１や図２に示すように、椅子は、脚装置１と支基部２と座部３と背部４と肘装置５とを備えている。脚支柱１は、先端にキャスター６を設けた枝足群部７と、枝足群部７の中心部に高さ調節自在に設けた脚支柱（ガスシリンダー）８とを備えている。
【００２６】
他方、支基部２は、脚支柱８の上端に固定したベース９を備えており、このベース９で座部３を支持している。詳細は省略するが、座部３は座板（座インナーシェル）の上面にクッション材を張った構造になっており、後傾動及び後退動可能に支持されている。
【００２７】
ベース９には、背部４が取り付く揺動アーム１０を後傾動自在に取り付けている。本実施形態の揺動アーム１０は、ベース９の側方から後方に延びるサイドメンバー１０ａとその後端を一体に連結するリアメンバー１０ｂとで平面視コ字状に形成している（もちろん、他の形態でも良い）。ベース９の内部には、揺動アーム１０の後傾動を弾性的に支持するばね手段を設けている
詳細は省略するが、座部３と揺動アーム１０とは軸によって相対回動可能に連結されており、このため、背部４が後傾動すると座部３も後退動しつつ後傾動する（すなわち、座部３と背部４とがシンクロする）。肘装置５は肘支柱１１とこれに高さ調節自在に取り付けた肘当て１２とを備えており、肘支柱１１は揺動アーム１０に固定している。
【００２８】
背部４は、着座した人の身体を受ける背もたれ１３と、この背もたれ１３を後方から支持するバックフレーム１４と、バックフレーム１４と背もたれ１３との間に介在させたランバーサポート１５とを備えている。バックフレーム１４は、背もたれ１３の縦長中心線１６に近い位置で上下に延びる２本の縦長部材１４ａと、その上端部に固着した左右長手の上部材１４ｂとで略Ｔ字状に形成されており、縦長部材１４ａは揺動アーム１０のリアメンバー１０ｂに固着されている。
【００２９】
バックフレーム１４は金属製であり、合成樹脂製のバックカバー１８で裏側から覆われている。バックカバー１８は揺動アーム１０のリアメンバー１０ｂも覆っており、このため、バックカバー１８は背面視において略横向きＨ字状の形態になっている。すなわち、バックカバー１８は、上下の横向き張り出し部１８ｂ，１８ｃを備えている。
【００３０】
そして、ランバーサポート１５は、バックカバー１８における縦長部の左右外側にはみ出るように横長に形成されている。以下、図５以下の図面を参照して背部４の詳細を説明する。
【００３１】
(b).背もたれの基本構造
まず、図５〜図７に基づいて、背もたれ１３の基本構造を説明する。図５は背部４の全体的な縦断側面図であり、この図から理解できるように、背もたれ１３は、合成樹脂製の背インナー板（背もたれ板）２０とその前面に張ったクッション材２１とを備えている。背インナー板２０は平面視で前向き凹状に緩く湾曲している。
【００３２】
背インナー板２０は、その上部側の３０％程度を占める後ろ向きの張り出し部２０ａと、それよりも下方の部分を占める変形許容部２０ｂとから成っている。張り出し部２０ａは、上部に行くほど深さが浅くなる前向き凹状に形成されており、このため、張り出し部２０ａの下端は変形許容部２０ｂに対して段違い状になっている。
【００３３】
張り出し部２０ａの内部には、補強及びクッション材２１の安定的支持及び補強のため、水平方向及び上下方向に延びる多数のリブ２２が一体に形成されている。言うまでもないが、張り出し部２０ａは、基本的には外力が掛かっても弾性変形しない。なお、張り出し部２０ａと変形許容部２０ｂとの比率（上下寸法の比率）は本実施形態に限定されるものではなく、必要に応じて変更したらよい。
【００３４】
変形許容部２０ｂは板状であり、図６（Ａ）の背面図に示すように、多数のスリットを形成することにより、ランバーサポート１５によって容易に曲げ変形させ得るようになっている。また、着座した人の後向き体圧が掛かることによっても多少は撓み変形可能となっている。
【００３５】
変形許容部２０ｂに形成するスリット群の具体的な形態として、背もたれ１３及び背インナー板２０の縦長中心線１６を挟んで対称状に延びる上向き開口コ字状のメインスリット２４ａと、メインスリット２４ａに連続した状態で左右方向に延びる第１補助スリット群２４ｂと、メインスリット２４ａで囲われた内側に独立して形成された左右長手の第２補助スリット群２４ｂと、メインスリット２４ａの左右外側において背インナー板２０の端面に開口するように形成された左右長手の第３補助スリット群２４ｄとを形成している。変形許容手段としては、スリットに変えて薄肉部を形成することも可能である。
【００３６】
背インナー板２０とクッション材２１とは、図７（背面図）に示す表皮材２５で全体が覆われている。すなわち、図７は表皮材２５の背面図であり、表皮材２５は背インナー板２０とクッション材２１とを収納できるように袋状に形成されている。表皮材２５は、背インナー板２０及びクッション材２１を収納できるように裏側をＴ字状に開口しており、縦長の開口部にファスナー２６を設けている。
【００３７】
表皮材２５の開口部はバックカバー１８で殆ど隠れるので美観を損なうことはない。表皮材２５の開口部のうち横長の部分にファスナーやホック等の閉じ手段を設けることも可能である。
【００３８】
表皮材２５は全体を同一色となしても良いし、表側と裏側とを別色とすること（例えば表側はブルーやグリーン、レッド、エンジのような明るい色とし、裏側は黒やグレーのような落ちついた色とする）も可能である。表と裏とで色を変える場合の態様として、図７に一点鎖線２７で境界で示している（色の境界２７は背もたれ１３の側面に位置させても良い）。
【００３９】
表皮材２５は、表側と裏側とで素材を変えることも可能である。もちろん、色と素材との両方を変えることも可能である。また、表皮材２５の素材は各種の布やレザー類など、様々のものを使用できる。
【００４０】
一般に、背部が後傾動するロッキング椅子では、背部の背面は合成樹脂製のカバーで構成されていることが多いが、これでは冷たい感じがすることが多い。また、背部の全体をレザーで覆って、背支柱等の機構部をレザーで囲っている椅子も存在するが、これでは変化に乏しい。
【００４１】
これに対して本実施形態のように、背もたれ１３の全体を表皮材２５で包みつつ、その裏側にバックフレーム１４やバックカバー１８を配置すると、柔らかくて温かい印象は保持しつつ変化のあるデザインを実現することができる。換言すると、柔らかな（或いは優しい）印象とメカニカルな印象とを人に同時に与えることのできるデザインとすることができる。
【００４２】
ところで、特許文献２は背もたれの裏側にバックフレームを配置している点で本願発明と共通しているが、特許文献２ではバックフレームを覆うカバーを設けて、このカバーを背もたれの背面に当てている。つまり、カバーと背もたれとの間には空間は空いていない。
【００４３】
これに対して本実施形態では、バックフレーム１４の縦長部材１４ａ及びバックカバー１８と背インナー板２０の変形許容部２０ｂとの間に空間（図５の符号Ｓ参照）が空いている。この空間Ｓの存在により、開放感に溢れた軽快な感じのデザインとして看者に好印象を与えている。そして、背インナー板２０の背面の全体が表皮材２５で美粧されているため、バックカバー１８の手前に空間が空いていても違和感は全く無い。
【００４４】
(c).バックフレームへの背インナー板の取り付け
次に、図８〜図１３も参照して、バックフレームへの背インナー板の取り付け構造を説明する。図８は表皮材２５及びバックカバー１８を省略した状態での背面図、図９は分離斜視図、図１０は図３のX-X 視断面図、図１１は図１０のXI−XI視断面図、図１２は図８のXII-XII 視断面図、図１３は図１２のXIII-XIII 視断面図である。
【００４５】
バックフレーム１４における縦長部材１４ａの上端部は上部材１４ｂよりも上方に突出した上向き突出端部１４ａ′と成している一方、図１０及び図１１に示すように、背インナー板２０の張り出し部２０ａには、縦長部材１４ａの上向き突出端部１４ａ′が下方から嵌合する筒部２９を形成して、この筒部２９を係合穴と成している。筒部２９は裏側に開口した横溝穴３０で分断されている。これは肉厚を均等化するためである。
【００４６】
バックフレーム１４の上部材１４ｂは断面後ろ向き開口コ字状になっており、その上片１４ｂ′が、背インナー板２０における張り出し部２０ａの下面（段差面）３１に下方から重なっている。
【００４７】
そして、上部材１４ｂにおける上片１４ｂ′の左右両端部の背インナー板２０の張り出し部２０ａに、上下長手のビス３２とこれに螺合するナット（六角ナット）３３とで締結している。背インナー板２０の張り出し部２０ａには、ナット３３を裏側から嵌め込むナット保持穴３４が空いている。ナット保持穴３４には、ビス３２を逃がすための遊び穴３５が連通している。
【００４８】
図９では、上部材１４ｂを背インナー板２０に締結するためのビス３２が挿通する穴を符号３６で示している。なお、ナット３３は四角形のものを使用してもよい。また、ナット３３を使用せずに、張り出し部２０ａに形成された穴にタッピンねじ等の自己穿孔式ビスをねじ込むことによって上部材１４ｂを張り出し部２０ａに締結することも可能である。
【００４９】
バックフレーム１４における２本の縦長部材１４ａが背インナー板２０の張り出し部２０ａに嵌合し、しかも、バックフレーム１４の上部材１４ｂがビス３２で背インナー板２０の張り出し部２０ａに締結されているため、背インナー板２０は張り出し部２０ａの箇所で上部材１４ｂに強固に締結される。
【００５０】
更に述べると、バックフレーム１４の縦長部材１４ａが張り出し部２０ａに嵌合していることによる位置決め効果と、張り出し部２０ａが広い範囲にわたってバックフレーム１４の上部材１４ｂで支持されていることによる荷重分散効果との相乗作用により、２本だけのビス３２による締結であっても背インナー板２０をバックフレーム１４に強固に締結することができるのである。従って、背もたれ２０に上方や前方から大きな荷重がかかっても、これをバックフレーム１４で的確に支えることができる。
【００５１】
図１２に示すように、張り出し部２０ａの下面のうち左右両側の部位には、バックフレーム１４の上部材１４ｂを前後ずれ不能に保持する下向きのリブ３５を形成している。このため、背インナー板２０はバックフレーム１４に対してより強固に取り付けられる。なお、バックフレーム１４はバックカバー１８で覆われ、また、横溝穴３０やナット保持穴３４、遊び穴３５は表皮材２５で覆われるので美観の悪化は生じない。
【００５２】
例えば図５に示すように、背インナー板２０の張り出し部２０ａをバックフレーム１４に締結したことにより、バックフレーム１４の縦長部材１４ａと背インナー板２０の変形許容部２０ｂとの間にある程度の空間（隙間）が開く。そして、この空間にランバーサポート１５を配置することができる。
【００５３】
本実施形態のようなバックフレーム１４を使用する場合、背インナー板２０の上部に後ろ向きに張り出したリブを形成し、このリブにバックフレーム１４の上部をねじ止め等で固定しても良いのである。
【００５４】
図５や図９から容易に理解できるように、背インナー板２０の下端部でかつ左右中間部の裏面には、側面視下向き鉤状のフック３８をビス３８ａで締結している一方、バックフレーム１４の上部材１４ｂの下端部には、フック３８が引っ掛かり係合する係合バー３９を溶接等によって固着している。フック３８は表皮材２５の外面に重なっている。
【００５５】
フック３８は上下に長く延びており、このため、背インナー板２０の変形許容部２０ｂはバックフレーム１４から離反不能に保持されると共に、その変形が許容される。変形許容部２０ｂの係止手段としては、例えば、変形許容部２０ｂに係合バー２９を設けて、バックフレーム１４にフックを設けるというように他の手段を採用してもよい。係止手段として紐類や鎖類を使用して、バックフレーム１４と変形許容部２０ｂとを紐類又は鎖類で相対動可能な状態に繋ぐことも可能である。
【００５６】
なお、フック３８は背インナー板２０に一体成形しても良い。フック３８はバックフレーム１４における縦長部材１４ａの左右外側に配置することも可能であるが、背インナー板２０の変形許容部２０ｂを平面視でねじるように容易に変形させ得るためには、本実施形態のように左右の縦長部材１４ａで挟まれれた中間部に配置するのが好ましい。
【００５７】
本願発明では、ランバーサポート１５を備えていない構造にすることも可能である。また、本実施形態のランバーサポート１５に似た形態の下部支持体を、上下位置が固定された状態に配置することも可能である（例えば、下部支持体をバックフレーム１４の縦長部材１４ａに固定しても良い）。
【００５８】
ランバーサポート１５を設けずに、フック３８と係合バー３９とを係合させることにより、変形許容部２０ａが前向き起こし不能でかつ体圧で多少は撓み変形するように構成することも可能である。
【００５９】
(d).ランバーサポート
次に、図５，図６（Ｂ）、図９に加えて図１４及び図１５も参照してランバーサポート１５について説明する。図１４はバックカバー１８を省略した状態での平断面図、図１５のうち（Ａ）は要部背面図（バックカバー１８は表示している）、（Ｂ）は（Ａ）のＢ−Ｂ視断面図、（Ｃ）はランバーサポート１５の部分的な背面図である。
【００６０】
ランバーサポート１５は、既述のとおりバックカバー１８の縦長部分から左右外側にはみ出るように横長の形態であり、背面視で左右両端部は円弧状に形成されており、また、側断面は前向き凸状（後ろ向き凹状）に形成されている。
【００６１】
図１４に示すように、本実施形態ではランバーサポート１５のその左右両端部が背インナー板２０の変形許容部２０ｂに当接するように設定している。このため、背インナー板２０の変形許容部２０ｂは平面視での曲率が小さくなるように変形することが可能であり、このためクッション性・フィット性に優れているといえる。
【００６２】
もちろん、左右全長にわたって背インナー板２０に当接させたり、或いは、中中間部のみを背インナー板２０に当接させたりすることも可能である（後者の場合は、ランバーサポート１５のうちバックカバー１８から外側に露出した部分は操作用摘まみ部となる）。
【００６３】
ランバーサポート１５の後面には、バックフレーム１４のセンターメンバー１４ａに手前側から嵌まる側面視半円状の上下ガイド部４１を形成している。この場合、ランバーサポート１５の上下動をスムースに行えるようにするため、各ガイド部４１とセンターメンバー１４ａとの間には合成樹脂製のスライダー４２を介在させている。
【００６４】
スライダー４２は押さえ金具４３及びビス４４でランバーサポート１５のセンターリブ４５に締結している。もちろん、スライダー４２はランバーサポート１５に直接締結しても良い。スライダ４２は上下分離方式又は左右分離方式でも良い。
【００６５】
ランバーサポート１５はバックカバー１８の左右外側にはみ出ているため、人は着座したまま両手を後ろに回してランバーサポート１５の後ろ向き露出部に手を当てることができ、このため、着座したままでランバーサポート１５の高さを頗る簡単に調節をすることができる。
【００６６】
(e).バックカバーの取り付け
図１６に示すように、本実施形態では、バックカバー１８は、その上部をバックフレーム１４の上部材１４ｂにビス４６で固定すると共に、その縦長部をバックフレーム１４の縦長部材１４ａに固定したブラケット４７にビス４８で固定している。
【００６７】
バックカバー１８にはビス４８をねじ込むめの筒部４９を一体に形成している。図９では、ビス４８の挿入穴を符号５０で表示している。バックカバー１８の下部を揺動アーム１０のリアメンバー１０ｂにもビスで締結してもよい。
【００６８】
本実施形態では、バックフレーム１４に予めバックカバー１８を取り付けておいてから、バックフレーム１４に背もたれ１３を取り付けてビス４８で固定することになる。ビス４８のねじ込みを許容するため、図１２に示すようにバックカバー１８の上部には切欠き１８ａを形成しているが、この切欠き１８ａは人目に触れることはないので美観の問題はない。
【００６９】
椅子の組み立てにおいてカバー類は一般に最後に取り付けられており、このため、の取り付け手段としては、合成樹脂の爪の弾性を利用したスナップ方式が多い。しかし、このようなスナップ方式の取り付け手段では、取り外しが面倒であり、また、取り付け強度に劣る問題がある。
【００７０】
これに対して本実施形態のように予めカバー１８をバックフレーム１４等のフレーム類にねじ止めしておく方法を採用すると、カバー１８の取り外しを簡単に行えると共に、取り付け強度も向上できる利点がある。より正確に述べると、バックフレームを下方から挿入したビスで背インナー板に締結したことにより、ビスが人目に触れることを露出することを防止できるため、バックカバー１８を予めバックフレーム１４にビスで固定しておくことが可能になったのである。
【００７１】
バックカバー１８の背面と張り出し部２０ａの背面とはほぼ同一面状に揃えられているため、ランバーサポート１５をバックカバー１８の左右外側に露出させた形態でありながら、全体としてすっきりとしたデザインになっている。
【００７２】
(2).他の実施形態（図17〜図18）
第１実施形態では背インナー板２０の張り出し部２０ａは前向きに開口した形態であったが、図１７に第２実施形態として示すように、後ろ向きに開口した形態に形成してよい。この場合は補強リブ２２は後ろ向きに延びるが、表皮材２５で覆うことができるので、美観の点での問題は解消できる。
【００７３】
図１８に第３実施形態として示すように、バックフレーム１４は、左右の縦長部材１４ａを大きく離反した下向き開口コ字状（又は矩形）に形成することも可能である。言うまでもないが、複数の縦長部材１４ａを備えている場合、その相互間を１本又は複数本き補強材で連結しても良い。
【００７４】
(3).その他
本発明は上記の実施形態の他にも様々に具体化することができる。例えば、バックフレームの形状は様々に設定することができる。第１実施形態のようにバックフレームに縦長部材を設ける場合、縦長部材は１本だけとすることも可能であり、また、板金製や合成樹脂製とすることも可能である。バックフレームを合成樹脂製としてバックカバーを無くすことも可能である。
【００７５】
バックフレームと張り出し部との係合手段としては、張り出し部の下面に下向きの突起を設けて、バックフレームには突起が嵌まる穴を設けるなどしても良い。
【００７６】
背もたれは必ずしも合成樹脂製等の背インナー板を備える必要はなく、例えば不織布や樹脂シートのようにある程度の腰のある素材を心材（基材）として、これにクッション材を貼り合わせ又は一体成形することも可能であり、この場合は、その上部の背面に、合成樹脂製や金属製の張り出し部を接着等の手段で一体に固着したらよい。
【００７７】
更に、張り出し部は背もたれの略全幅にわたって延びる広巾の形態である必要はなく、例えば左右中間部のみに設けたり、左右二つの張り出し部を間隔を空けた状態で設けるなどすることも可能である。図１７に二点鎖線で示すように、張り出し部２０ａの上方にも変形許容部２０ｃを設けてもよい。
【図面の簡単な説明】
【００７８】
【図１】第１実施形態の椅子を前方から見た全体斜視図である。
【図２】椅子を後方から見た全体斜視図である。
【図３】部分的な背面図である。
【図４】バックフレームとバックフレームとの分離背面図である。
【図５】背部の全体的な縦断側面図である。
【図６】背インナー板及びランバーサポートの背面図である。
【図７】表皮材の背面図である。
【図８】表皮材とバックカバーとを省略した状態での背部の背面図である。
【図９】分離斜視図である。
【図１０】図３のX-X 視断面図である。
【図１１】図１０のXI−XI視断面図である。
【図１２】図８のXII-XII 視断面図である。
【図１３】図１２のXIII-XIII 視断面図である。
【図１４】バックカバー１８を省略した状態での平断面図である。
【図１５】（Ａ）は要部背面図、（Ｂ）は（Ａ）のＢ−Ｂ視断面図、（Ｃ）はランバーサポートの部分的な背面図である。
【図１６】バックカバーの取り付け方法を示す断面図である。
【図１７】第２実施形態を示す図である。
【図１８】第３実施形態を示す図である。
【符号の説明】
【００７９】
１  脚装置
２  支基部
３  座部
４  背部
１０  揺動アーム
１３  背もたれ
１４  バックフレーム
１４ａ  バックフレームの縦長部材
１４ａ  係合手段を構成する突出端部
１４ｂ  バックフレームの上部材
１５  ランバーサポート
２９  係合穴となる筒部
３２  締結用のビス
３３  ナット
【図１】
2005080676.tif 000003
【図２】
2005080676.tif 000004
【図３】
2005080676.tif 000005
【図４】
2005080676.tif 000006
【図５】
2005080676.tif 000007
【図６】
2005080676.tif 000008
【図７】
2005080676.tif 000009
【図８】
2005080676.tif 000010
【図９】
2005080676.tif 000011
【図１０】
2005080676.tif 000012
【図１１】
2005080676.tif 000013
【図１２】
2005080676.tif 000014
【図１３】
2005080676.tif 000015
【図１４】
2005080676.tif 000016
【図１５】
2005080676.tif 000017
【図１６】
2005080676.tif 000018
【図１７】
2005080676.tif 000019
【図１８】
2005080676.tif 000020